(57)【要約】【課題】  歩道を視覚障害者と健常者と共有して歩行でき、かつ視覚障害者が優先的に歩行できるようにした歩行ガイドシステムを得る。【解決手段】  歩道２を、視覚障害者２０が歩行する第一歩道３と、健常者が歩行する第二歩道４とに分離し、かつ、第一歩道３と第二歩道４との両表面が凹凸を有しない平坦な面をなすように形成する一方で、少なくとも第一歩道３をクッション性を有する柔らかな材質で形成し、さらに第一歩道３と第二歩道４とを互いに異なる色で色分け表示する。第一歩道３と第二歩道４とを分離する分離ライン７に沿って被検知部材６を埋め込み、視覚障害者２０が把持する杖１１の先端部分に設けた検知手段１２が分離ライン７に近接または接触しているか否かを検知したときに、視覚障害者２０が第一歩道３から逸脱しようとしている状態にあることを報知する。【選択図】  図１
0003105938.tif 000002
【実用新案登録請求の範囲】
【請求項１】
視覚障害者が歩行する第一歩道と健常者が歩行する第二歩道とを分離する分離ラインに沿って埋め込まれた磁性部材からなる被検知部材と、
視覚障害者が把持する杖の先端部分に設けた検知手段と、
記杖の内部に設けられ前記検知手段が前記被検知部材に近接または接触したことを報知する報知手段と
を備えたことを特徴とする歩行ガイドシステム。
【請求項２】
前記被検知部材は、さらに、前記第一歩道が車道に接する縁部近傍の縁部ラインに沿っても埋め込まれていることを特徴とする請求項１記載の歩行ガイドシステム。
【請求項３】
前記第一歩道および前記第二歩道は、透水性を備え、表面が凹凸を有しない平坦な面をなすことを特徴とする請求項１または２記載の歩行ガイドシステム。
【請求項４】
前記第一歩道及び前記第二歩道は、色分けされていることを特徴とする請求項１乃至３のいずれかに記載の歩行ガイドシステム。
【請求項５】
前記第一歩道及び前記第二歩道は、クッションを有することを特徴とする請求項１乃至４のいずれかに記載の歩行ガイドシステム。
【請求項６】
前記視覚障害者の把持する前記杖の外表面は、蛍光物質が塗られていることを特徴とする請求項１または２記載の歩行ガイドシステム。
【考案の詳細な説明】
【技術分野】
【０００１】
本考案は、視覚障害者と健常者とが歩道を共有して歩行する歩行ガイドシステムに係り、特に視覚障害者が視覚障害者用の歩道を安全に歩行でき、かつ、誤って転んでも損傷を受けるのを極力最小限に抑制できるようにした歩行ガイドシステムに関する。
【背景技術】
【０００２】
従来、杖を把持して歩行する視覚障害者、弱視者、高齢者（以下、「視覚障害者」という）が、歩道を歩行する歩行ガイドシステムとして、特開平９−３１３５２３号公報（特許文献１）や特開２００２−１３３５７８号公報（特許文献２）のものが知られている。特許文献１のものは、表面が凹凸面を有する黄色の方形状をなすブロックを敷設したもので、歩道に方形状のブロックを敷設した態様のものであり、視覚障害者が杖を持った状態で敷設されたブロックの上を歩行することによって目的地へ案内されてたどり着くことができるようになっている。
【０００３】
また、特許文献２のものは、路面タイルの表面に形成された凸部に埋め込んだ磁石と、視覚障害者が保有する杖の先端部近傍のところには、その磁石の磁性の強さに応じてその粘度が変化する磁性粘度変化流体よりなる磁石検出子を収容した杖とで構成されている。歩行している路面が、要注意領域の路面なのか、またはそれほど注意を促す必要がない案内領域の路面を歩行しているのかを識別できるように、上記要注意領域の路面タイルには磁性の強い磁石を埋め込み、通常の案内領域にある路面タイルには、上記要注意領域のそれよりも磁性の弱い磁石を埋め込んでいる。
【０００４】
そして、視覚障害者が要注意領域の路面を歩行する場合には、上記磁石検出子が路面タイルに埋め込んだ磁石の磁界によって上記磁性粘度変化流体が固化し、上記案内領域を歩行するときは、上記磁性粘度変化流体が固化する度合いが小さいため、把持する杖が路面タイルとの接触によって生じる打音、振動またはフィーリング等によって要注意領域か、またはそれ以外の案内領域を歩行しているのか、自身が歩行している領域である歩行区分を識別することができるようにしたものである。
【特許文献１】特開平９−３１３５２３号公報
【特許文献２】特開２００２−１３３５７８号公報
【考案の開示】
【考案が解決しようとする課題】
【０００５】
しかしながら、特開平９−３１３５２３号公報および特開２００２−１３３５７８号公報のものにあっては、いずれも路面にブロックまたは路面タイルを敷設しているので、歩道（路面）の表面は凹凸が形成される。そのため視覚障害者だけでなく健常者も歩行しづらくなるだけでなく、これらブロックや路面タイルが敷設される歩道は、コンクリートやアスファルト等で形成されているため、誤って転んだ場合には身体に損傷を与えやすくなる問題がある。
【０００６】
また、上記後者のものにあっては、上記杖に上記磁性粘度変化流体を収容しなければならないため、その漏洩を工夫する構造を特別に考慮しなければならず、さらに、視覚障害者の把持する杖の先端が、上記ブロックや上記路面タイルに実際に突き当てられるときに生じる打音、振動または感触等によって初めて歩行区分が識別できるようにしているため、視覚障害者は上記路面タイルの上だけを歩行することを余儀なくされるため、それだけ歩行のための歩行スペースが狭められ、歩行が窮屈となるばかりか、安全歩行の確保にも不十分となる問題もあった。
【０００７】
本考案は、このような問題を解決するために工夫されたものであり、歩道を視覚障害者と健常者とが共用して歩行できるようにし、視覚障害者が歩行するときには視覚障害者が優先的に歩行できるようにした歩行ガイドシステムに係り、誤って転んだとしても損傷を最小限に抑制できる歩行ガイドシステムを提供することを目的とする。
【課題を解決するための手段】
【０００８】
上記課題を解決するために、本考案においては次のような手段を講ずることとした。すなわち、第１の考案の歩行ガイドシステムは、視覚障害者が歩行する第一歩道と健常者が歩行する第二歩道とを分離する分離ラインに沿って埋め込まれた磁性部材からなる被検知部材と、視覚障害者が把持する杖の先端部分に設けた検知手段と、前記杖の内部に設けられ前記検知手段が前記被検知部材に近接または接触したことを報知する報知手段とを備えたことを特徴とする。
【０００９】
また、第２の考案の歩行ガイドシステムでは、前記被検知部材がさらに第一歩道が車道に接する縁部近傍の縁部ラインに沿っても埋め込まれたことを特徴とする。
【００１０】
また、第３の考案の歩行ガイドシステムでは、前記第一歩道および前記第二歩道は、透水性を備え表面が凹凸を有しない平坦な面をなすことを特徴とする。
【００１１】
また、第４の考案の歩行ガイドシステムでは、前記第一歩道及び前記第二歩道は、色分けされていることを特徴とする。
【００１２】
また、第５の考案の歩行ガイドシステムでは、前記第一歩道及び第二歩道は、クッション性を有することを特徴とする。
【００１３】
また、第６の考案の歩行ガイドシステムでは、前記視覚障害者の把持する前記杖の外表面は、蛍光物質が塗られていることを特徴とする。
【考案の効果】
【００１４】
第１の考案によれば、杖側の先端部のところに設けた検知手段が、この磁性部材に近接または接触することで磁気を感知し、報知手段が駆動し、視覚障害者に自分が第一歩道から第二歩道へ逸脱して進もうとしていることを事前に報知する。これによって、第二歩道を歩行する健常者と不意に衝突するような事態を未然に回避でき、安全歩行を円滑に実現することができる。
【００１５】
また、第２の考案によれば、被検知部材である磁性部材が、第一歩道と第二歩道との分離ラインの他に、車両が走行する車道側寄りの縁部ラインに沿っても埋め込まれている。このため、視覚障害者は、誤って車道側へ歩行しようとするとき、報知手段が駆動し、視覚障害者が、車道へ向かうことを未然に防止できる。すなわち、杖の先端部のところに格納された検知手段は、分離ラインと縁部ラインとに設けられた２つの被検知部材を検知するので、報知手段が駆動しない状態においては、視覚障害者は第一歩道の真ん中を歩行していることを識別でき、安心して第一歩道を歩行することができるようになる。
【００１６】
また、第３の考案によれば、第一歩道および第二歩道が透水性を備えるので、歩道に降り注いだ雨水等が地盤に吸収されていき水はけの良好な歩道を得ることができる。またこれら歩道の表面を凹凸の存しない平坦な面に形成しているため、歩行能力に乏しい視覚障害者の場合であっても、円滑な歩行を確保できるようになるといった利点を有する。
【００１７】
また、第４の考案によれば、視覚障害者が歩行する第一歩道を例えばピンク色に着色し、主に健常者が歩行する第二歩道のところを例えばグリーン色に着色して第一歩道と第二歩道とを色分け表示する。このため、色分け表示による視線誘導が可能となり、たまたま健常者が第一歩道を歩行しているような場合において、前方から視覚障害者が第一歩道を歩行して近づいてくるのを認識したときに、健常者は色違いの第二歩道へすぐさまゾーン変更をすることにより、視覚障害者に道を譲ることができ、対人衝突する事態を未然に回避できる効果を奏する。
【００１８】
また、第５の考案によれば、視覚障害者が優先的に歩行するのを確保した第一歩道をクッション性を有するように形成しているため、万が一、視覚障害者が第一歩道上で転倒するような事態が生じたとしても、視覚障害者が受ける転倒時の衝撃力を吸収することができ、身体が受ける損傷を効果的に低減できるようになる。
【００１９】
また、第６の考案によれば、視覚障害者の把持する杖の外表面に、蛍光塗料を塗布するようにしている。このため、視覚障害者の周囲を歩行する人は、この蛍光塗料の発する蛍光により、杖を把持する視覚障害者の存在を早めに視認することができる。従って、第一歩道を歩行している健常者は、視覚障害者の歩行の邪魔にならないように、第二歩道へ移動して歩行することができ、これにより視覚障害者の安全歩行を良好に確保できるようになる。
【考案を実施するための最良の形態】
【００２０】
以下において、本考案の実施の形態における歩行ガイドシステムについて、図１乃至図５を基に詳述する。図１は街角の歩道を概略的に示したもので、図２は図１のII−II線における歩道の横断面構造を示した矢視断面図である。車道１に沿って設けられた歩道２は、２つの領域の歩道に区分けされている。すなわち、歩道２は、視覚障害者が歩行する第一歩道３と、主として健常者が歩行する第二歩道４とに分離されている。第一歩道３および第二歩道４は、地盤５の上に敷設され、例えば、合成樹脂の廃材や各種産業廃棄物質等を破砕処理した紛状物を混練して方形状のブロックに形成されている。それらの外表面は平坦面をなし、さらに、第一歩道３は、たとえばピンク色に、第二歩道は、たとえばグリーン色に色分け表示されている。また、第一歩道３および第二歩道４は、クッション性を備えるとともに、雨水等を地盤５へ透過吸収する透水性も有する。このように形成されたブロック状の歩道構成部材が第一歩道３および第二歩道４として地盤５上に敷設され、または舗装される構成となっている。
【００２１】
上記第一歩道３と第二歩道４との境界には、例えば、磁性を帯びた部材（以下、「磁性部材」という）６を境界に沿って所定間隔ごとに埋め込むことによって、第一歩道３と第二歩道４とのほぼ中央に分離ライン７が形成される。また、車道１よりの第一歩道３縁部近傍にも、同様にして磁性部材８が所定間隔ごとに埋め込まれることによって、縁部ライン９が形成される。こうして、磁性部材６，８が埋め込まれて形成された第一歩道３と第二歩道４との上表面は、凹凸のない平坦な面をなすように形成される。これにより視覚障害者２０は杖１１を把持しながらピンク色表示された第一歩道３を、また、健常者はグリーン色でカラー表示された第二歩道４をそれぞれ歩行できるようになる。
【００２２】
なお、視覚障害者２０が歩行していないときには、第一歩道３上を健常者が歩行しても凹凸等何ら傷害になるものがないので歩行し易い。
【００２３】
また、図３に示すように、第一歩道３の縁にコンクリート性の縁石ブロック１０が設けられる場合には、磁性部材８を縁石ブロック１０の内側近傍に沿って埋め込み、縁部ライン９を形成する。これにより、視覚障害者２０が第一歩道３から逸脱して車道５側に出てしまうのを阻止できる。
【００２４】
次に、視覚障害者２０が把持する杖の構造について説明する。図４に示されるように、杖１１はその先端部のところに磁気センサ１２が内蔵されている。また、把持部１４近傍には、例えば、リチウム電池、または充電可能な電池１５と、報知手段の一態様であって鳴動によって音を発生するブザー１６と、回路をＯＮ、ＯＦＦ制御するスイッチ１７とが内蔵される。この磁気センサ１２は、上記磁性部材６の磁気を感知することによって、杖１１が分離ライン７，８に近接しまたは接触したことを検知する。この磁気センサ１２、電池１５およびブザー１６は、杖１１の内部の電気配線１３によって電気的に接続される。なお、上記ブザーの代わりに、ＩＣ合成音声発生手段、またはバイブレータ等で報知手段を形成してもよい。
【００２５】
上記磁気センサ１２を、図５に基づいて説明する。この磁気センサ１２は、例えば、一つの基板上にホール素子１２ａ、増幅器１２ｂ及びトランジスタ１２ｃ等を実装したアナログ回路で形成される。ホール素子１２ａの出力に応じてブザー１６の鳴動音の強弱によって杖１１の先端部が分離ライン７や縁部ライン９にどれだけ近づいているか否かを視覚障害者２０が知ることが可能となる。もちろん、アナログ回路の代わりに、増幅器１２ｂとトランジスタ１２ｃとの間にシュミットトリガ素子等を増設することによってディジタル回路で形成してもよい。
【００２６】
また、杖１１の外表面には、図４において符号１８で示すように、蛍光塗料を塗布することによって周囲の歩行者が容易に視覚障害者２０を視認できるようになる。
【００２７】
なお、上記歩行ガイドシステムにおいては、杖１１に内蔵した磁気センサ１２が磁性部材６，８を感知することで、視覚障害者２０に歩行レーンの逸脱を事前に報知するようにしたが、この他に、例えば、分離ラインに沿って鉄等の金属を埋め込み杖側にはこの金属を検知する金属検知装置を設けてなる金属検知方式、または、分離ラインに沿って埋め込まれた発光ダイオードから発光する赤外線等の光を感知し、この光を前記杖の先端部のところに設けた光センサで検知する光検知方式等の種々の方式とすることもできる。
【００２８】
本実施の形態によれば、視覚障害者２０が歩行する第一歩道３がピンク色に着色され、健常者が歩行する第二歩道４のところをグリーン色に着色するようにして色分け表示している。また、第一歩道３と第二歩道４との外表面のところを、凸凹の存しない平坦な面に形成している。このため、第一歩道３を歩行する視覚障害者２０は、従来の歩道のように凸凹ある路面タイル等を敷設した歩道を歩行するのとは異なり、安全かつスムーズな歩行を確保できる。さらに、転倒する事態を生じるようなことがあっても、転倒時の衝撃力を第一歩道３の有するクッション機能によって吸収することができ、損傷を最小限にできる。また、第一歩道３および第二歩道４は透水性の良好な素材で形成されているため、雨水等が地盤５に吸収され、水溜まりのない歩道２を得ることができる。
【００２９】
また、第一歩道３を歩行する視覚障害者２０が、分離ライン７や縁部ライン９に近寄ってきた場合には、杖１１の先端部のところに設けた磁気センサ１２が、磁性部材６，８を感知し、ブザー１６を鳴動させる。これによって、視覚障害者２０は、分離ライン７または縁部ライン９に近接または接近したことを認識することができ、ブザー１６が鳴動しない方向へ歩行進路を変えることで、第一歩道３の真ん中を歩行することができるようになる。
【００３０】
また、視覚障害者２０が把持する杖１１の外表面に、蛍光塗料が塗布されているため、視覚障害者２０が歩行する周囲の人は、この蛍光塗料の発する蛍光により、周囲の健常者は杖１１を把持して歩行する視覚障害者２０をいち早く認識することができる。第一歩道３を歩行している健常者がいた場合には、視覚障害者２０の歩行の妨げとならないようにするため、第二歩道４へ移動して歩行することができ、それだけ視覚障害者２０の安全歩行を良好に確保できるようになる。
【図面の簡単な説明】
【００３１】
【図１】本考案の実施の形態における歩行ガイドシステムの全体の外観を示す概略外観斜視図である。
【図２】図１のII−II線における矢視断面図である。
【図３】第一歩道の縁部に縁石ブロックを設けた場合の第一歩道の変形例の外観斜視図である。
【図４】歩道に設けられた磁気部材と杖との関係を示す外観斜視図である。
【図５】杖の先端部に格納された磁気センサの一構成例を示す図である。
【符号の説明】
【００３２】
１  車道
２  歩道
３  第一歩道
４  第二歩道
５  地盤
６  磁石部材
７  分離ライン
８  磁石部材
９  縁部ライン
１０  ブロック
１１  杖
１２  磁気センサ
１３  電気配線
１４  把持部
１５  電池
１６  ブザー
１７  スイッチ
１８  蛍光塗料塗布部
２０  視覚障害者
【図１】
0003105938.tif 000003
【図２】
0003105938.tif 000004
【図３】
0003105938.tif 000005
【図４】
0003105938.tif 000006
【図５】
0003105938.tif 000007